(57)【要約】【課題】端末間通信によるセルラ通信に対するシンボル間干渉を低減すること。【解決手段】複数の端末装置と、前記複数の端末装置のそれぞれと所定のセルラ方式により無線通信を行う基地局装置３０と、前記セルラ方式で使用される周波数バンドのうちの少なくとも一部の周波数バンドを利用した少なくとも２つの端末装置の端末間通信を制御するサーバと、を備えた無線通信システム１００における基地局装置３０は、端末装置ごとにＴｉｍｉｎｇＡｄｖａｎｃｅ情報を管理し、ＴｉｍｉｎｇＡｄｖａｎｃｅ情報のうちのいずれか１つのＴｉｍｉｎｇＡｄｖａｎｃｅ情報を端末間通信の対象の端末装置に取得させる。【選択図】図１
2015179957.tif 000002
【特許請求の範囲】
【請求項１】
複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおける基地局装置であって、
端末装置ごとにＴｉｍｉｎｇＡｄｖａｎｃｅ情報を管理する制御部と、
前記制御部に管理されているＴｉｍｉｎｇＡｄｖａｎｃｅ情報のうちのいずれか１つのＴｉｍｉｎｇＡｄｖａｎｃｅ情報を端末間通信の対象の端末装置に取得させる通信部と、
を備える基地局装置。
【請求項２】
前記通信部は、端末間通信の対象の端末装置のうち、ＲＲＣ＿ｉｄｌｅ状態の端末装置に対して、ＲＲＣ＿Ｃｏｎｎｅｃｔｅｄ状態にさせるための信号を送信し、その後、ＲＲＣ＿Ｃｏｎｎｅｃｔｅｄ状態に遷移した端末装置にＴｉｍｉｎｇＡｄｖａｎｃｅ情報を取得させる
ことを特徴とする請求項１に記載の基地局装置。
【請求項３】
前記通信部は、前記複数の端末装置のうちのＲＲＣ＿Ｃｏｎｎｅｃｔｅｄ状態の第１端末装置から、ＲＲＣ＿ｉｄｌｅ状態の第２端末装置との間でＴｉｍｉｎｇＡｄｖａｎｃｅ情報を用いて行う端末間通信を開始するための要求信号であって、前記第２端末装置に関する情報が含まれた要求信号を受信し、
前記制御部は、前記通信部によって受信した要求信号に含まれた情報を用いて、前記サーバに問い合わせることによって、前記第２端末装置を特定し、
前記通信部は、前記制御部によって特定した前記第２端末装置に対してＲＲＣ＿Ｃｏｎｎｅｃｔｅｄ状態に遷移させるための信号を送信し、その後、ＲＲＣ＿Ｃｏｎｎｅｃｔｅｄ状態に遷移した前記第２端末装置に対してＴｉｍｉｎｇＡｄｖａｎｃｅ情報を取得させることによって、前記第２端末装置に前記第１端末装置との間の端末間通信を開始させる
ことを特徴とした請求項１または２に記載の基地局装置。
【請求項４】
前記通信部は、当該端末間通信に関する制御信号を前記第２端末装置が取得した後に、前記第２端末装置に対してＴｉｍｉｎｇＡｄｖａｎｃｅ情報を取得させる
ことを特徴とした請求項３に記載の基地局装置。
【請求項５】
前記通信部は、前記サーバ装置から、問い合わせに対するレスポンスを受信した後に、前記第１端末装置に対して、前記要求信号に対する応答信号であって、前記第２端末装置に関する認証情報が含まれた信号を送信することによって、前記第１端末装置から認証情報が含まれた当該端末間通信に関する制御信号を前記第２端末装置に受信させる
ことを特徴とした請求項３または４に記載の基地局装置。
【請求項６】
前記通信部は、前記サーバから端末間通信の開始を判定するためのしきい値を取得し、取得したしきい値を端末間通信の端末装置に取得させ、前記端末間通信の端末装置がしきい値を用いて端末間通信の開始の決定をした場合に、その端末装置に対してＴｉｍｉｎｇＡｄｖａｎｃｅ情報を取得させる
ことを特徴とした請求項３から５のいずれかに記載の基地局装置。
【請求項７】
前記通信部は、ＲＲＣ＿Ｃｏｎｎｅｃｔｅｄ状態の端末装置に対しては個別チャネルを用いてしきい値を送信し、ＲＲＣ＿ｉｄｌｅ状態の端末装置に対してはブロードキャストチャネルを用いてしきい値を送信することで取得させる
ことを特徴とする請求項６に記載の基地局装置。
【請求項８】
前記通信部は、前記制御部において所定の期間内に生成されたＴｉｍｉｎｇＡｄｖａｎｃｅ値のうち、最小のＴｉｍｉｎｇＡｄｖａｎｃｅ値を送信する
ことを特徴とする請求項１から７のいずれかに記載の基地局装置。
【請求項９】
複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおける端末間通信の一方の端末装置であって、
前記基地局装置に対して、端末間通信の相手方の端末装置との間でＴｉｍｉｎｇＡｄｖａｎｃｅ情報を用いて行う端末間通信を開始するための要求信号であって、前記相手方の端末装置にＴｉｍｉｎｇＡｄｖａｎｃｅ情報を取得させるための要求信号を送信し、また、前記基地局装置から、前記要求信号に対する応答信号であって、前記相手方の端末装置に関する認証情報が含まれた信号を受信する通信部と、
前記応答信号に含まれた認証情報を記憶する記憶部と、
を備え、
前記制御部は、前記認証情報を用いて、当該端末間通信に関する制御信号を生成し、
前記通信部は、前記制御部によって生成された制御信号を前記相手方の端末装置に対して送信することによって前記相手方の端末装置との間で同期し、ＴｉｍｉｎｇＡｄｖａｎｃｅ情報を取得した前記相手方の端末装置との間で端末間通信を実施する
ことを特徴とする端末装置。
【請求項１０】
複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおける端末間通信の一方の端末装置であって、
前記基地局を介して、前記サーバから端末間通信の開始を判定するためのしきい値を受信し、また、端末間通信の相手方の端末装置から、端末間通信に関する制御信号を受信する通信部と、
前記通信部によって受信した制御信号の受信品質を測定する制御部と、
を備え、
前記制御部は、前記通信部によって受信したしきい値と、前記制御部によって測定された受信品質とを比較して、前記端末間通信を開始するか否かを判定し、
前記通信部は、前記制御部によって、端末間通信の開始の決定をした場合に、前記基地局装置からＴｉｍｉｎｇＡｄｖａｎｃｅ情報を取得して、相手方の端末装置と端末間通信を実施する
ことを特徴とする端末装置。
【請求項１１】
前記制御部は、所定の期間において受信した制御信号の受信品質を少なくとも１回以上測定し、所定の回数以上の測定結果のそれぞれが前記しきい値よりも上回っている場合に、端末間通信の開始の決定をする
ことを特徴とする請求項１０に記載の端末装置。
【請求項１２】
複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおける通信方法であって、
端末装置ごとにＴｉｍｉｎｇＡｄｖａｎｃｅ情報を管理するステップと、
管理されているＴｉｍｉｎｇＡｄｖａｎｃｅ情報のうちのいずれか１つのＴｉｍｉｎｇＡｄｖａｎｃｅ情報を端末間通信の対象の端末装置に取得させるステップと、
を含む通信方法。
【請求項１３】
複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおけるプログラムであって、
端末装置ごとにＴｉｍｉｎｇＡｄｖａｎｃｅ情報を管理するステップと、
管理されているＴｉｍｉｎｇＡｄｖａｎｃｅ情報のうちのいずれか１つのＴｉｍｉｎｇＡｄｖａｎｃｅ情報を端末間通信の対象の端末装置に取得させるステップと、
をコンピュータに実行させるためのプログラム。
【発明の詳細な説明】
【技術分野】
【０００１】
本発明は、無線通信システムの制御技術に関する。
【背景技術】
【０００２】
近年、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）においては、複数の端末装置（Ｕｓｅｒ  Ｅｑｕｉｐｍｅｎｔ。以下、ＵＥという。）が基地局を介さずに直接通信を行うための技術である端末間通信（Ｄｅｖｉｃｅ  ｔｏ  Ｄｅｖｉｃｅ  Ｃｏｍｍｕｎｉｃａｔｉｏｎ。以下、Ｄ２Ｄ通信という。）について議論されている。
【０００３】
Ｄ２Ｄ通信は、ＬＴＥなどのセルラ通信のアップリンクに使用されている周波数バンドと共通の周波数バンドを用いて実行される。Ｄ２Ｄ通信が適用可能となる端末装置間の距離は、数１００ｍ程度と言われている。このような環境下にある端末装置の間でＤ２Ｄ通信が実行されることによって、緊急時などの特定の環境下において、セルラ通信における混雑の程度を低減させることが期待されている（たとえば、非特許文献１を参照。）。
【先行技術文献】
【非特許文献】
【０００４】
【非特許文献１】３ｇｐｐ  ＴＲ３６．８４３  Ｖｅｒ．１．２．０
【発明の概要】
【発明が解決しようとする課題】
【０００５】
しかしながら、Ｄ２Ｄ通信の対象となる端末装置の状態によっては、セルラ通信に対してシンボル間干渉を与えてしまう場合があった。
【０００６】
本発明はかかる課題に鑑みてなされたものであり、その目的は、端末間通信を実行しても、セルラ通信に対するシンボル間干渉を低減できる基地局装置、端末装置、通信方法、および、プログラムを提供することにある。
【課題を解決するための手段】
【０００７】
本発明のある態様は、基地局装置に関する。この基地局装置は、複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおける基地局装置である。また、この基地局装置は、端末装置ごとにＴｉｍｉｎｇＡｄｖａｎｃｅ情報を管理する制御部と、制御部に管理されているＴｉｍｉｎｇＡｄｖａｎｃｅ情報のうちのいずれか１つのＴｉｍｉｎｇＡｄｖａｎｃｅ情報を端末間通信の対象の端末装置に取得させる通信部と、を備える。
【０００８】
このような態様によると、ＴｉｍｉｎｇＡｄｖａｎｃｅ情報を端末間通信の対象の端末装置に取得させることによって、端末間通信の対象の端末装置と、基地局装置との間の通信フレームのずれを修正できるため、端末間通信を実行しても、セルラ通信に対するシンボル間干渉を低減できることとなる。
【０００９】
本発明の別の態様は、端末装置に関する。この端末装置は、複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおける端末間通信の一方の端末装置である。また、この端末装置は、基地局装置に対して、端末間通信の相手方の端末装置との間でＴｉｍｉｎｇＡｄｖａｎｃｅ情報を用いて行う端末間通信を開始するための要求信号であって、前記相手方の端末装置にＴｉｍｉｎｇＡｄｖａｎｃｅ情報を取得させるための要求信号を送信し、また、前記基地局装置から、前記要求信号に対する応答信号であって、前記相手方の端末装置に関する認証情報が含まれた信号を受信する通信部と、応答信号に含まれた認証情報を記憶する記憶部と、を備える。ここで、制御部は、前記認証情報を用いて、当該端末間通信に関する制御信号を生成する。また、通信部は、前記制御部によって生成された制御信号を前記相手方の端末装置に対して送信することによって前記相手方の端末装置との間で同期し、ＴｉｍｉｎｇＡｄｖａｎｃｅ情報を取得した前記相手方の端末装置との間で端末間通信を実施する。
【００１０】
このような態様によると、制御信号を前記相手方の端末装置に対して送信することによって前記相手方の端末装置との間で同期し、ＴｉｍｉｎｇＡｄｖａｎｃｅ情報を取得した前記相手方の端末装置との間で端末間通信を実施することによって、端末間通信を実行しても、セルラ通信に対するシンボル間干渉を低減できることとなる。
【００１１】
本発明の別の態様は、端末装置に関する。この端末装置は、複数の端末装置と、前記複数の端末装置のそれぞれと所定のセルラ方式により無線通信を行う基地局装置と、前記セルラ方式で使用される周波数バンドのうちの少なくとも一部の周波数バンドを利用した少なくとも２つの端末装置の端末間通信を制御するサーバと、を備えた無線通信システムにおける端末間通信の一方の端末装置である。また、この端末装置は、基地局を介して、前記サーバから端末間通信の開始を判定するためのしきい値を受信し、また、端末間通信の相手方の端末装置から、端末間通信に関する制御信号を受信する通信部と、通信部によって受信した制御信号の受信品質を測定する制御部と、を備える。ここで、制御部は、前記通信部によって受信したしきい値と、前記制御部によって測定された受信品質とを比較して、前記端末間通信を開始するか否かを判定する。また、通信部は、前記制御部によって、端末間通信の開始の決定をした場合に、前記基地局装置からＴｉｍｉｎｇＡｄｖａｎｃｅ情報を取得して、相手方の端末装置と端末間通信を実施する。
【００１２】
このような態様によると、端末間通信の開始の決定をした場合に、前記基地局装置からＴｉｍｉｎｇＡｄｖａｎｃｅ情報を取得して、相手方の端末装置と端末間通信を実施することによって、端末間通信を実行しても、セルラ通信に対するシンボル間干渉を低減できることとなる。
【００１３】
なお、以上の構成要素の任意の組み合わせ、本発明の表現を方法、装置、システム、コンピュータプログラムなどの間で変換したものもまた、本発明の態様として有効である。
【発明の効果】
【００１４】
本発明によると、セルラ通信に対するシンボル間干渉を低減できる。
【発明を実施するための形態】
【００１５】
（本発明の概要）
本発明の実施例を説明する前に、まず、本発明の概要を述べる。本発明は、端末装置同士が直接通信を行うＤ２Ｄ通信の技術に関する。本発明にかかるＤ２Ｄ通信は、セルラ通信で使用される周波数バンドのうちの少なくとも一部の周波数バンドを共通に利用するものであり、Ｄ２Ｄ通信を実施中のＵＥの送信タイミングを決定する方法である。本発明によれば、ＲＲＣ＿ｉｄｌｅ状態のＵＥとＲＲＣ＿Ｃｏｎｎｅｃｔｅｄ状態のＵＥの両方が混在する環境下でセルラ通信とＤ２Ｄ通信の間のシンボル間干渉を低減することができることとなる。
【００１６】
一般的に、セルラ通信におけるＵＥは、基地局装置（ｅｖｏｌｖｅｄ  ＮｏｄｅＢ。以下、ｅＮＢという。）に対する上り通信において、通常、ｅＮＢ−ＵＥ間の伝搬遅延を考慮して送信タイミングをオフセットする。これをＴｉｍｉｎｇＡｄｖａｎｃｅ（以下、ＴＡとも言う。）という。ＴＡを考慮することで、ｅＮＢとＵＥとの間の通信フレームのズレが修正され、シンボル間干渉を低減することができる。
【００１７】
ここで、セルラ通信と同一周波数帯域で実施するＤ２Ｄ通信においても、セルラ通信フレームとのシンボル間干渉を低減するためには、ＴＡを考慮する必要がある。しかしながら本ＴＡは、ＵＥがＲＲＣ＿Ｃｏｎｎｅｃｔｅｄ状態に遷移しなければ考慮することができないものである。そのため、Ｄ２Ｄ通信の対象のＵＥとして、ＲＲＣ＿ｉｄｌｅ状態のＵＥとＲＲＣ＿Ｃｏｎｎｅｃｔｅｄ状態のＵＥの双方を考慮する場合には、ＲＲＣ＿ｉｄｌｅ状態のＵＥにおいてＴＡを考慮することができず、セルラ通信とＤ２Ｄ通信との間において、シンボル間干渉が発生する可能性があった。
【００１８】
本発明は、以上の課題を解決しており、ＲＲＣ＿ｉｄｌｅ状態のＵＥがＴＡを考慮するための方法を提供することにより、セルラ通信とＤ２Ｄ通信との間のシンボル間干渉を低減することができる。
【００１９】
（本発明の実施形態にかかる無線通信システムの構成例）
ここで、本発明の実施形態にかかる無線通信システムの構成例について説明する。図１は、本発明の実施形態にかかる無線通信システム１００の構成例を示す図である。無線通信システム１００は、第１端末装置１０と第２端末装置２０と、基地局装置３０と、サーバ装置４０とを含む。
【００２０】
サーバ装置４０は、ＰｒｏｘｉｍｉｔｙＳｅｒｖｉｃｅＳｅｒｖｅｒとも呼ばれる。サーバ装置４０は、端末装置の位置登録を管理するＭＭＥ装置と連携して、Ｄ２Ｄ通信を制御する。第１端末装置１０と第２端末装置２０は、基地局装置３０との間でセルラ通信を実施する無線端末である。また、第１端末装置１０と第２端末装置２０は、Ｄ２Ｄ通信が実行可能な端末である。以下においては、第１端末装置１０はＲＲＣ＿Ｃｏｎｎｅｃｔｅｄの状態であり、また、第２端末装置２０はＲＲＣ＿ｉｄｌｅの状態であると仮定して説明を行う。
【００２１】
ＲＲＣ＿ｉｄｌｅ状態のＵＥにおいては、ページングチャネルの監視、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）情報の受信、周辺セルの品質測定、セル選択／再選択、システム情報の取得など、限られた機能のみがＡｃｔｉｖｅとなっており、電力を極力消費しないような状態となっている。
【００２２】
ＲＲＣ＿Ｃｏｎｎｅｃｔｅｄ状態のＵＥにおいては、ＲＲＣ＿ｉｄｌｅ状態における処理の他、データの送受信、ＣＱＩ（Ｃｈａｎｎｅｌ  Ｑｕａｌｉｔｙ  Ｉｎｄｉｃａｔｏｒ）などの情報のｅＮＢへのフィードバックなどの機能が実行可能な状態となっている。ＲＲＣ＿ｉｄｌｅ状態からＲＲＣ＿Ｃｏｎｎｅｃｔｅｄ状態へは、ページングチャネルを受信することで状態遷移が発生することとなる。
【００２３】
（端末装置の構成例）
図２は、図１の端末装置の構成例を示す図である。端末装置は、ＵＥ通信部１２と、ＵＥ制御部１４と、ＵＥ記憶部１６と、ユーザＩＦ１８とを含む。
【００２４】
ＵＥ通信部１２は、基地局装置３０との間の無線通信処理を実行する。ＵＥ通信部１２は、Ｄ２Ｄ通信の相手先となる端末装置との間でＤ２Ｄ通信処理を実行する。これらの通信処理は、公知の変復調技術、アンテナ技術が用いられてもよい。ＵＥ記憶部１６は、基地局装置３０もしくはＤ２Ｄ通信の相手先の端末装置から送信されたデータを記憶し、また、基地局装置３０もしくはＤ２Ｄ通信の相手先の端末装置に対して送信すべき、ユーザＩＦ１８を通じて得たデータを記憶してもよい。ユーザＩＦ１８は、画面インタフェースと、キーボードやタッチパネルなどのユーザからの入力を受け付ける入力インタフェースと、カメラなどの画像撮像手段を含んでもよい。
【００２５】
以下においては、ＲＲＣ＿Ｃｏｎｎｅｃｔｅｄ状態の第１端末装置１０と、ＲＲＣ＿ｉｄｌｅ状態の第２端末装置２０とを分けて、それぞれの機能ブロックについて説明する。
【００２６】
（１）第１端末装置１０の場合
図２を用いて、ＲＲＣ＿Ｃｏｎｎｅｃｔｅｄ状態の第１端末装置１０の構成、動作について説明する。ＵＥ通信部１２は、基地局装置３０に対して、Ｄ２Ｄ通信の相手方の第２端末装置２０との間でＴｉｍｉｎｇＡｄｖａｎｃｅ情報を用いて行うＤ２Ｄ通信を開始するための要求信号を送信する。この要求信号には、ＩＭＳＩや電話番号情報など、相手方の第２端末装置２０を特定するための情報が含まれていてもよい。あるいは、要求信号に、所定のサービスについての識別情報が含まれていてもよい。これにより、所定のサービスを指定する端末装置をＤ２Ｄ通信の相手先として指定することができる。また、この要求信号は、後において基地局装置３０をして第２端末装置２０をＲＲＣ＿Ｃｏｎｎｅｃｔｅｄ状態に遷移させた上でＴｉｍｉｎｇＡｄｖａｎｃｅ情報を取得させる一連の処理のためのトリガーとなる信号でもある。
【００２７】
また、ＵＥ通信部１２は、基地局装置３０から、要求信号に対する応答信号を受信する。この応答信号には、Ｄ２Ｄ通信の相手方の第２端末装置２０に関する認証情報が含まれていてもよい。ＵＥ記憶部１６は、応答信号に含まれた認証情報を端末装置ごとに記憶してもよい。ＵＥ制御部１４は、ＵＥ記憶部１６に記憶された認証情報を用いて、当該Ｄ２Ｄ通信に関する制御信号（以下、Ｄ２Ｄ信号という）を生成してもよい。認証情報は、Ｄ２Ｄ通信の相手方の第２端末装置２０の識別番号や、その第２端末装置２０が指定したサービスを識別するための情報が含まれていてもよい。
【００２８】
また、ＵＥ通信部１２は、ＵＥ制御部１４によって生成された制御信号を相手方の第２端末装置２０に対して送信することによって相手方の第２端末装置２０との間で同期し、ＴｉｍｉｎｇＡｄｖａｎｃｅ情報を取得した相手方の第２端末装置２０との間でＤ２Ｄ通信を実施してもよい。
【００２９】
（２）第２端末装置２０の場合
図２を用いて、ＲＲＣ＿ｉｄｌｅ状態の第２端末装置２０の構成、動作について説明する。
【００３０】
ＵＥ通信部１２は、基地局装置３０から、ＲＲＣ＿ｉｄｌｅ状態からＲＲＣ＿Ｃｏｎｎｅｃｔｅｄ状態に遷移させるための信号を受信する。この信号は、ページングメッセージであってもよい。ＵＥ通信部１２は、ＲＲＣ＿Ｃｏｎｎｅｃｔｅｄ状態に遷移した後に、基地局装置３０との間でランダムアクセス処理などの初期アクセス手続を行うことによって、ＴｉｍｉｎｇＡｄｖａｎｃｅ情報を取得する。ＵＥ通信部１２は、ＴｉｍｉｎｇＡｄｖａｎｃｅ情報の取得に前後して、Ｄ２Ｄ通信の相手方の第１端末装置１０から、Ｄ２Ｄ信号を受信してもよい。
【００３１】
ＵＥ通信部１２は、基地局装置３０から、しきい値に関する情報を受信してもよい。この場合、ＵＥ制御部１４は、ＵＥ通信部１２によって受信したＤ２Ｄ信号の受信品質を測定する。ＵＥ制御部１４は、ＵＥ通信部１２によって受信したしきい値と、測定された受信品質とを比較して、Ｄ２Ｄ通信を開始するか否かを判定してもよい。なお、ＵＥ制御部１４は、所定の期間において受信した制御信号の受信品質を少なくとも１回以上測定し、所定の回数以上の測定結果のそれぞれが前記しきい値よりも上回っている場合に、端末間通信の開始の決定をしてもよい。ＵＥ制御部１４によって、Ｄ２Ｄ通信の開始の決定をした場合に、基地局装置３０からＴｉｍｉｎｇＡｄｖａｎｃｅ情報を取得して、相手方の第１端末装置１０と端末間通信を実施してもよい。
【００３２】
（基地局装置３０の構成例）
図３は、図１の基地局装置３０の構成例を示す図である。基地局装置３０は、基地局通信部３２と、基地局制御部３４と、基地局記憶部３６とを含む。
【００３３】
基地局通信部３２は、基地局記憶部３６に記憶された情報を基地局制御部３４が使用しながら、第１端末装置１０、第２端末装置２０のそれぞれと、所定のセルラ方式を用いてセルラ無線通信を実行する。第１端末装置１０と第２端末装置２０とがＤ２Ｄ通信を実施する場合は、基地局通信部３２と、基地局制御部３４は、以下のような処理を実行する。
【００３４】
まず、基地局通信部３２は、端末装置からのＤ２Ｄ通信の開始にかかる要求信号を受信する。基地局通信部３２は、要求信号に含まれたＤ２Ｄ通信の一方の端末装置を特定するための情報を用いて、サーバ装置４０に問い合わせる。この問い合わせの応答として、基地局通信部３２は、サーバ装置４０から、Ｄ２Ｄ通信の一方の第２端末装置２０についての位置登録情報やＤ２Ｄ通信における認証情報などを受信する。基地局通信部３２は、サーバ装置４０から取得した第２端末装置２０に関する認証情報などが含まれた信号を第１端末装置１０に送信する。
【００３５】
また、サーバ装置４０から受信した情報をもとに、基地局制御部３４は、第２端末装置２０を特定する。ここで、基地局通信部３２は、基地局制御部３４によって特定した第２端末装置２０に対してＲＲＣ＿Ｃｏｎｎｅｃｔｅｄ状態に遷移させるための信号を送信する。また、基地局通信部３２は、ＲＲＣ＿Ｃｏｎｎｅｃｔｅｄ状態に遷移した第２端末装置２０に対してＴｉｍｉｎｇＡｄｖａｎｃｅ情報を取得させることによって、第２端末装置２０に第１端末装置１０との間の端末間通信を開始させる。基地局通信部３２は、Ｄ２Ｄ信号を第２端末装置２０が取得した後に、第２端末装置２０に対してＴｉｍｉｎｇＡｄｖａｎｃｅ情報を取得させてもよい。
【００３６】
基地局制御部３４は、端末装置ごとにＴｉｍｉｎｇＡｄｖａｎｃｅ情報を基地局記憶部３６を用いて管理する。基地局制御部３４に管理されているＴｉｍｉｎｇＡｄｖａｎｃｅ情報のうちのいずれか１つのＴｉｍｉｎｇＡｄｖａｎｃｅ情報を端末間通信の対象の端末装置に取得させてもよい。基地局通信部３２は、基地局制御部３４において所定の期間内に生成されたＴｉｍｉｎｇＡｄｖａｎｃｅ値のうち、最小のＴｉｍｉｎｇＡｄｖａｎｃｅ値を送信してもよい。
【００３７】
なお、基地局通信部３２は、サーバ装置４０から端末間通信の開始を判定するためのしきい値を取得してもよい。また、基地局通信部３２は、取得したしきい値を端末間通信の一方の第２端末装置２０に取得させて、第２端末装置２０がしきい値を用いて端末間通信の開始の決定をした場合に、その端末装置に対してＴｉｍｉｎｇＡｄｖａｎｃｅ情報を取得させてもよい。
【００３８】
また、基地局通信部３２は、第２端末装置２０がＲＲＣ＿Ｃｏｎｎｅｃｔｅｄ状態である場合、個別チャネルを用いてしきい値を送信してもよい。また、基地局通信部３２は、ＲＲＣ＿ｉｄｌｅ状態の第２端末装置２０に対して、ブロードキャストチャネルを用いてしきい値を送信することで取得させてもよい。
【００３９】
（サーバ装置４０の構成例）
図４は、図１のサーバ装置４０の構成例を示す図である。サーバ装置４０は、サーバ通信部４２と、サーバ制御部４４と、サーバ記憶部４６とを含む。サーバ通信部４２は、ＭＭＥと連携しながら、基地局装置３０に対して、Ｄ２Ｄ通信の対処の端末装置に関する情報を通知する。サーバ記憶部４６は、端末装置に関する情報を記憶する。サーバ制御部４４は、サーバ記憶部４６に記憶された情報を用いて、サーバ通信部４２などを制御する。
【００４０】
以下、実施例１〜５を用いて、本発明の実施例について具体的に説明する。
【実施例１】
【００４１】
まず、実施例１について説明する。ここでは、図５と図６を用いて説明する。なお、既出の構成、動作については、同じ符号を用いることによってその説明を簡略化する。以下、本明細書において同様である。
【００４２】
図５は、本発明の実施例１にかかる第１無線通信システム１１０の構成例を示す図である。図６は、図５の第１無線通信システム１１０の動作例を示すシーケンス図である。実施例１は、基地局装置３０を経由して、ＲＲＣ＿ｉｄｌｅ状態にある第２端末装置２０にページングメッセージを送信することで、第２端末装置をＲＲＣ＿Ｃｏｎｎｅｃｔｅｄ状態に遷移させるケースについての例である。以下においては、図５に示した（１）〜（７）と図６に示したＳ１０〜Ｓ２２とを対応させながら、実施例１のシーケンスを説明する。
【００４３】
（１）まず、Ｄ２Ｄ通信を開始したい第１端末装置１０が、Ｄ２Ｄ通信を開始したい相手方である第２端末装置２０に関するＤ２Ｄ属性情報を含むD2D Communication Request messageを、接続先の基地局装置３０に対して送信する（Ｓ１０）。Ｄ２Ｄ属性情報には、第２端末装置２０のＩＭＳＩや電話番号情報などが含まれていてもよい。
【００４４】
（２）基地局装置３０は、該当するＤ２Ｄ属性情報を持つ端末装置をサーバ装置４０に問い合わせるために、UE information requestを送信する（Ｓ１２）。
（３）ここでサーバ装置４０は、送信されたＤ２Ｄ属性情報に該当する端末装置を特定し、特定した第２端末装置２０に関する情報をUE information notificationとして基地局装置３０に送信する（Ｓ１４）。
（４）その後、基地局装置３０は、第１端末装置１０に対して、D2D Communication Request Ackを送信する（Ｓ１６）。このメッセージには、Ｄ２Ｄ通信のための認証情報などの第２端末装置２０に関する情報が含まれていてもよい。
（５）基地局装置３０は、特定された第２端末装置２０に対して、D2D Communication Paging処理を実施する（Ｓ１８）。
（６）このPagingを受信した第２端末装置２０は、ＲＲＣ＿Ｃｏｎｎｅｃｔｅｄ状態へと遷移し、ＴＡ値を取得するための初期アクセス手続を基地局装置３０に対して行う（Ｓ２０）。
（７）第２端末装置２０がＴＡを取得した後に、第１端末装置１０との間で、そのＴＡを考慮したＤ２Ｄ通信を実行する（Ｓ２２）。
【００４５】
以上のような態様によると、ＲＲＣ＿ｉｄｌｅ状態にある第２端末装置２０にページングメッセージを送信することで、第２端末装置２０をＲＲＣ＿Ｃｏｎｎｅｃｔｅｄ状態に遷移させることによって、効率的にＴＡを取得させることができる。そのため、その後の第１端末装置１０とのＤ２Ｄ通信において、セルラ通信へのシンボル間干渉を低減できることとなる。
【実施例２】
【００４６】
つぎに、実施例２について説明する。ここでは、図７と図８を用いて説明する。図７は、本発明の実施例２にかかる第２無線通信システム１２０の構成例を示す図である。図８は、図７の第２無線通信システム１２０の動作例を示すシーケンス図である。
【００４７】
実施例２は、実施例１の変形例であり、第２端末装置２０が第１端末装置からＤ２Ｄ信号を受信した後にＴＡを取得するケースについての例である。以下においては、図７に示した（１）〜（８）と図６に示したＳ３０〜Ｓ４４とを対応させながら、実施例２のシーケンスを説明する。
【００４８】
（１）〜（５）は、実施例１と同様の処理であるため、説明を省略する。また、Ｓ３０〜Ｓ３８は、Ｓ１０〜Ｓ１８と同様の処理であるため、説明を省略する。
【００４９】
（６）第１端末装置１０は、Ｄ２Ｄ信号を第２端末装置２０に送信する（Ｓ４０）。ここで、Ｄ２Ｄ信号とは、Ｄ２Ｄ端末検出用信号であってもよいし、Ｄ２Ｄ通信のための同期信号であってもよいし、（５）において基地局装置３０から受信したD2D Communication Request Ackに含まれた第２端末装置２０に関する情報を用いて生成されてもよい。なお、Ｓ４０の処理は、Ｓ３８のD2D Communication Pagingと順番が逆であってもよい。
【００５０】
（７）ここで、Ｄ２Ｄ信号とPagingを受信した第２端末装置２０は、ＲＲＣ＿Ｃｏｎｎｅｃｔｅｄ状態へと遷移し、ＴＡ値を取得するための初期アクセス手続を基地局装置３０に対して行う（Ｓ４２）。
（８）第２端末装置２０がＴＡを取得した後に、第１端末装置１０との間で、そのＴＡを考慮したＤ２Ｄ通信を実行する（Ｓ４４）。
【００５１】
以上のような態様によると、第１端末装置１０からＤ２Ｄ信号を受信した後にＴＡを取得することによって、第２端末装置２０は、必要なＴＡの取得のみを実施することができる。Ｄ２Ｄ信号を取得する前にＴＡを取得した場合に、第１端末装置１０からのＤ２Ｄ通信がなかったような場合、そのＴＡの取得が無駄になってしまうからである。
【実施例３】
【００５２】
つぎに、実施例３について説明する。ここでは、図９と図１０を用いて説明する。図９は、本発明の実施例３にかかる第３無線通信システム１３０の構成例を示す図である。図１０は、図９の第３無線通信システム１３０の動作例を示すシーケンス図である。
【００５３】
実施例３は、基地局装置３０から通知されたしきい値にもとづいて、第２端末装置２０がＤ２Ｄ通信を実施するか否かを決定するケースについての例である。以下においては、図９に示した（１）〜（５）と図１０に示したＳ５０〜Ｓ６０とを対応させながら、実施例３のシーケンスを説明する。
【００５４】
なお、このシーケンスにおいては、第２端末装置２０は、当該端末装置が興味を持つサービスを予め選定し、基地局装置３０を介して、サーバ装置４０に登録しているものとする。Ｄ２Ｄ信号とサービスの対応関係とは、Ｄ２Ｄ信号に含まれる所定の識別情報と、サービスの識別情報との対応関係に関する情報であってもよい。この状態で、第１端末装置１０から、所定のサービスを実施している端末装置に対するＤ２Ｄ通信の要求が基地局装置３０を介してサーバ装置４０に通知され、通知されたサービスを登録している第２端末装置２０が特定されていてもよい。
【００５５】
（１）まず、サーバ装置４０は、基地局装置３０に対して、Ｄ２Ｄ信号とサービスの対応関係を通知する（Ｓ５０）。
【００５６】
（２）つぎに、基地局装置３０は、第２端末装置２０に対して、サーバ装置４０から受信した対応関係にもとづいて、D2D UE Activateしきい値とサービスとの対応関係を通知する（Ｓ５２）。この通知は、ブロードキャスト信号によって通知されてもよい。また、第２端末装置２０にあらかじめ設定されていてもよい。D2D UE Activateしきい値とサービスとの対応関係とは、第２端末装置２０がサーバ装置４０に登録していた複数のサービスの情報と、サービスごとに設定されたしきい値に関する情報であってもよい。
【００５７】
（３）第２端末装置２０は、第１端末装置１０からＤ２Ｄ信号を受信する（Ｓ５４）。ここで、第２端末装置２０は、受信したＤ２Ｄ信号がサーバ装置４０に予め登録したサービスに関連するものであると判定した場合に、受信したＤ２Ｄ信号の品質を測定し、D2D UE Activateしきい値と比較することで、Ｄ２Ｄ通信を開始するか否かを判定する（Ｓ５６）。なお、測定される品質は、ＲＳＲＰやＲＳＲＱなどの受信電力に関する情報であってもよい。
【００５８】
また、Ｄ２Ｄ信号とは、例えばZadoff-chu 系列のような直交系列であってもよいし、任意のビット列データを伝送する信号であってもよい。また、サービスに対応付けられていてもよく、たとえば、サービスを識別する識別番号を用いて、所定の系列が生成されていてもよい。なお、通知されたしきい値ではなく、しきい値に所定の値αを足した値を比較対象として、Ｄ２Ｄ通信を開始するか否かを判定してもよい。あるいは、所定の期間において受信したＤ２Ｄ信号の品質を少なくとも１回以上測定し、所定の回数以上の測定結果のそれぞれがしきい値よりも上回っている場合に、Ｄ２Ｄ通信の開始の決定をしてもよい。
【００５９】
（４）ここで、Ｄ２Ｄ通信を開始すると判定した第２端末装置２０は、ＲＲＣ＿Ｃｏｎｎｅｃｔｅｄ状態へと遷移し、ＴＡ値を取得するための初期アクセス手続を基地局装置３０に対して行う（Ｓ５８）。
（５）第２端末装置２０がＴＡを取得した後に、第１端末装置１０との間で、そのＴＡを考慮したＤ２Ｄ通信を実行する（Ｓ６０）。
【００６０】
以上のような態様によると、所定のしきい値以上となったＤ２Ｄ信号を送信した通信端末とＤ２Ｄ通信を実行することによって、より快適なＤ２Ｄ通信を実行できる。これにより、無駄なＤ２Ｄ通信を回避でき、もって、セルラ通信への干渉を低減できることとなる。
【実施例４】
【００６１】
つぎに、実施例４について説明する。ここでは、図１１を用いて説明する。図１１は、本発明の実施例４にかかる第４無線通信システム１４０の構成例を示す図である。
【００６２】
実施例４は、基地局装置３０からＲＲＣ＿ｉｄｌｅ状態である第２端末装置２０に対してＴＡ設定値をブロードキャスト信号にて通知するケースについての例である。以下においては、図１１に示した（１）〜（２）にそって、実施例４のシーケンスを説明する。
【００６３】
（１）基地局装置３０は、ブロードキャスト信号にＴＡ値を含めることで、Ｄ２Ｄ通信用に設定するＴＡ値を第１端末装置１０および第２端末装置２０に取得させる。
（２）ＴＡ値を取得した第１端末装置１０および第２端末装置２０は、先の実施例で示したような手順により、Ｄ２Ｄ信号を用いて互いに同期した後に、Ｄ２Ｄ通信を開始する。
【００６４】
ブロードキャスト情報により通知されるＴＡ値は、基地局装置３０のセル内の端末装置に設定されているＴＡ値のうち、選択されたものであってもよい。選択されるＴＡ値は、たとえば、最小のＴＡ値でもよいし、複数のＴＡ値の平均値であってもよい。
【００６５】
以上のような態様によると、基地局装置３０から直接ＴＡ値をブロードキャストすることによって、実施例１〜３に示したようなＴＡ値取得のためのシーケンスが不要となるため、効率的にＤ２Ｄ通信を実現することができる。
【実施例５】
【００６６】
（実施例１〜４の変形例）
つぎに、実施例５について説明する。実施例５は、実施例１〜４の変形例である。実施例１〜４においては、ＴＡ値は基地局装置３０から通知されるものであったが、実施例５では、端末装置みずからがＴＡ値を計算により取得する。
【００６７】
まず、端末装置は、複数の基地局装置３０から送信されたPRS(Positioning Reference Signal)とPagingまたはTracking Area Updateによって通知される基地局位置情報を取得する。つぎに、端末装置は、複数のPRSの受信結果、および／または、取得した基地局位置情報から、基地局装置３０との距離を推定する。さいごに、端末装置は、この推定した距離に基づいて、伝搬遅延を算出し、ＴＡ値として設定する。なお、距離の推定、伝搬遅延の算出は、公知の技術により実施することが可能であることは、当業者に容易に理解されるところである。
【００６８】
以上のような態様によると、基地局装置からの明示的なＴＡ値を受け取る必要がなくなるため、Ｄ２Ｄ通信開始までのシーケンスを効率化することができる。
【００６９】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、各実施例を組み合わせるなどして、それらの各構成要素や各処理プロセスの組み合わせにいろいろな変形例が可能なこと、またそうした変形例も本発明の範囲にあることは当業者に理解されるところである。
【図面の簡単な説明】
【００７０】
【図１】本発明の実施形態にかかる無線通信システムの構成例を示す図である。
【図２】図１の端末装置の構成例を示す図である。
【図３】図１の基地局装置の構成例を示す図である。
【図４】図１のサーバ装置の構成例を示す図である。
【図５】本発明の実施例１にかかる第１無線通信システムの構成例を示す図である。
【図６】図５の第１無線通信システムの動作例を示すシーケンス図である。
【図７】本発明の実施例２にかかる第２無線通信システムの構成例を示す図である。
【図８】図７の第２無線通信システムの動作例を示すシーケンス図である。
【図９】本発明の実施例３にかかる第３無線通信システムの構成例を示す図である。
【図１０】図９の第３無線通信システムの動作例を示すシーケンス図である。
【図１１】本発明の実施例４にかかる第４無線通信システムの構成例を示す図である。
【符号の説明】
【００７１】
１０  第１端末装置、  １２  ＵＥ通信部、  １４  ＵＥ制御部、  １６  ＵＥ記憶部、  １８  ユーザＩＦ、  ２０  第２端末装置、  ３０  基地局装置、  ３２  基地局通信部、  ３４  基地局制御部、  ３６  基地局記憶部、  ４０  サーバ装置、  ４２  サーバ通信部、  ４４  サーバ制御部、  ４６  サーバ記憶部、  １００  無線通信システム、  １１０  第１無線通信システム、  １２０  第２無線通信システム、  １３０  第３無線通信システム、  １４０  第４無線通信システム。
【図１】
2015179957.tif 000003
【図２】
2015179957.tif 000004
【図３】
2015179957.tif 000005
【図４】
2015179957.tif 000006
【図５】
2015179957.tif 000007
【図６】
2015179957.tif 000008
【図７】
2015179957.tif 000009
【図８】
2015179957.tif 000010
【図９】
2015179957.tif 000011
【図１０】
2015179957.tif 000012
【図１１】
2015179957.tif 000013